(57)【要約】【課題】  組み立て作業を簡単かつ確実に行うことができ、強度及び耐久性に優れたトレーニング用ラダーを提供すること。【解決手段】  本発明は、細長い板状又は棒状のラダー本体部材１０と、当該ラダー本体部材１０の長手方向の両端面１０ａに固定される帯状部材２０と、留め具３０と、から構成され、前記ラダー本体部材１０には、係合穴部１２と、その内部から前記ラダー本体部材１０の底面に向けて透設された爪穴と、を設け、前記帯状部材２０には、複数個の透孔２１を設け、前記留め具３０には、杆部３１と、弾性変形又は一部塑性変形を利用して前記爪穴に嵌まり込む掛止爪３２と、頭部３３と、を設け、前記留め具３０の杆部３１をラダー本体部材１０の係合穴部１２に圧入することで、前記掛止爪３２を爪穴に嵌め込み、前記留め具３０の頭部３３とラダー本体部材１０の端面１０ａとの間に前記帯状部材２０を挟むようにしたトレーニング用ラダー１である。【選択図】図１
2018196543.tif 000002
【特許請求の範囲】
【請求項１】
細長い板状又は棒状のラダー本体部材と、
当該ラダー本体部材の長手方向の両端面に固定される帯状部材と、
前記ラダー本体部材に対して前記帯状部材を固定するための留め具と、
から構成されるトレーニング用ラダーであって、
ａ）前記ラダー本体部材には、
前記ラダー本体部材の長手方向の両端面に開口を有するとともに、前記ラダー本体部材の長手方向に沿って設けられた係合穴部と、
前記係合穴部の内部から前記ラダー本体部材の底面に向けて透設された爪穴と、
を設け、
ｂ）前記帯状部材には、
前記係合穴部の開口と対応する複数個の透孔を設け、
ｃ）前記留め具には、
前記係合穴部の内部に挿入できるように板状又は棒状に形成された杆部と、
弾性変形又は一部塑性変形を利用して前記爪穴に嵌まり込む掛止爪と、
前記杆部の一端部に形成された頭部と、
を設け、
ｄ）前記ラダー本体部材の係合穴部の開口に前記帯状部材の透孔を対応させた状態で、前記留め具の杆部を前記ラダー本体部材の係合穴部に圧入することで、当該杆部又は掛止爪を弾性変形又は一部塑性変形させ、前記掛止爪を前記爪穴に嵌め込むとともに、前記留め具の頭部と前記ラダー本体部材の長手方向の端面との間に前記帯状部材を挟み込んでラダー本体部材と前記帯状部材とを互いに連結固定するようにしたことを特徴とするトレーニング用ラダー。
【請求項２】
前記杆部の一端部に形成された頭部は、前記杆部が前記ラダー本体部材の係合穴部に圧入され、当該頭部と前記ラダー本体部材の長手方向の端面との間に前記帯状部材を挟み込んだ状態で、ラダー本体部材の底面よりも下方に突出しないようになっていることを特徴とする請求項１に記載のトレーニング用ラダー。
【請求項３】
前記帯状部材の透孔は、一方の辺縁部に偏った位置に設けられており、前記留め具の頭部と前記ラダー本体部材の長手方向の端面との間に前記帯状部材が挟み込まれた状態で、当該帯状部材がラダー本体部材の底面よりも下方に突出しないようになっていることを特徴とする請求項１又は２に記載のトレーニング用ラダー。
【請求項４】
前記留め具に形成された掛止爪は、前記爪穴との掛止面が先端部ほど当該爪穴側に接近して強く係合するように斜状に形成されていることを特徴とする請求項１ないし３の何れか一項に記載のトレーニング用ラダー。
【請求項５】
前記杆部は、前記掛止爪の周囲を囲うようにして形成された枠状部を有しており、さらに、当該枠状部の内側の部分の厚みが薄く形成されることで、当該杆部を前記ラダー本体部材の係合穴部に圧入する際に前記掛止爪の付近における杆部の弾性変形を容易にしているものであることを特徴とする請求項１ないし４の何れか一項に記載のトレーニング用ラダー。
【請求項６】
前記ラダー本体部材に設けられた係合穴部は、その内部上面において、前記掛止爪の上面側を押さえる突起を備えているものであることを特徴とする請求項１ないし５の何れか一項に記載のトレーニング用ラダー。
【請求項７】
前記掛止爪は、前記爪穴に嵌まり込んで当該爪穴と係合した状態で、前記ラダー本体部材の底面を超える位置まで突出することはないものであることを特徴とする請求項１ないし６の何れか一項に記載のトレーニング用ラダー。
【請求項８】
前記ラダー本体部材の端面は、その開口の上側及び下側に小穴を有しており、
前記留め具の頭部は、前記ラダー本体部材と接する面に、前記帯状部材を貫通して前記小穴に刺さる長さを有する針状部を備えているものであることを特徴とする請求項１ないし７の何れか一項に記載のトレーニング用ラダー。
【請求項９】
細長い板状又は棒状のラダー本体部材と、
当該ラダー本体部材の長手方向の両端面に固定される帯状部材と、
前記ラダー本体部材に対して前記帯状部材を固定するための留め具と、
から構成されるトレーニング用ラダーであって、
ａ）前記ラダー本体部材には、
前記ラダー本体部材の長手方向の両端面に開口を有するとともに、前記ラダー本体部材の長手方向に沿って設けられた係合穴部と、
前記係合穴部の内部から前記ラダー本体部材の水平方向に向けて透設された爪穴と、
を設け、
ｂ）前記帯状部材には、
前記係合穴部の開口と対応する複数個の透孔を設け、
ｃ）前記留め具には、
前記係合穴部の内部に挿入できるように板状又は棒状に形成された杆部と、
弾性変形又は一部塑性変形を利用して前記爪穴に嵌まり込む掛止爪と、
前記杆部の一端部に形成された頭部と、
を設け、
ｄ）前記ラダー本体部材の係合穴部の開口に前記帯状部材の透孔を対応させた状態で、前記留め具の杆部を前記ラダー本体部材の係合穴部に圧入することで、当該杆部又は掛止爪を弾性変形又は一部塑性変形させ、前記掛止爪を前記爪穴に嵌め込むとともに、前記留め具の頭部と前記ラダー本体部材の長手方向の端面との間に前記帯状部材を挟み込んでラダー本体部材と前記帯状部材とを互いに連結固定するようにしたことを特徴とするトレーニング用ラダー。
【発明の詳細な説明】
【技術分野】
【０００１】
本発明は、素早い動きを身につけたり、ウオーミングアップを行うために使用されるトレーニング用ラダーであって、主にサッカーの練習に使用され、サッカースパイクで強く踏まれることがあるトレーニング用ラダーに関するものである。より詳細には、板状又は棒状の複数本のラダー本体部材と、それらの両端部に固定される帯状部材とからなり、通常、全体を伸ばした状態で地面又は床面に置いて使用されるトレーニング用ラダーに関するものである。
【背景技術】
【０００２】
従来、トレーニング用ラダーとして、板状又は棒状のラダー本体部材の端部に設けたスリットに帯状部材を挿通したり、スリットに挿通した帯状部材をバネやクリップを用いて固定するものが提案されている（特許文献１、特許文献２）。
また、ラダー本体部材として短い帯状の紐を用い、それを長い帯状の紐からなる帯状部材に対してクリップで固定するようにしたトレーニング用ラダーが提案されている（特許文献３）。
【０００３】
しかしながら、特許文献１に記載のトレーニング用ラダーにおいては、構造が複雑で壊れ易いという問題や、製造コストが高くなるという問題がある。
さらに、特許文献１及び特許文献２に記載のトレーニング用ラダーにおいては、板状又は棒状のラダー本体部材の端部と重なるようにして帯状部材を固定しているため、帯状部材の間隔を確保するためにラダー本体部材を長くする必要があるという問題がある。
また、特許文献１〜特許文献３に記載のトレーニング用ラダーにおいては、ラダー本体部材と帯状部材の固定位置がズレやすいという問題がある。
【０００４】
そこで、上記の問題を解消した従来のトレーニング用ラダーとして、ラダー本体部材の両端面に開口を有する係合穴部に対して楔状の留め具を差し込むことで、ラダー本体部材の両端面に帯状部材を固定するようにしたものが提案されている。
上記従来のトレーニング用ラダーにおいては、ラダー本体部材の端部に設けた係合穴部に対して留め具を無理矢理押し込み、両者の間の摩擦によって係合状態を維持している。
従って、構造が簡潔であり、組み立て作業を迅速に行うことができ、製造コスト及び量産性の点では優れたものとなっている。
ここで、ラダー本体部材及び留め具は、ポリエチレン及びＰＯＭ（ポリアセタール）といった耐衝撃性と強度に優れ、吸水性が低い素材を用いており、接着性が低く、接着剤が使用できないという事情が有る。そのため、ラダー本体部材と留め具との接合は、部材が耐えられる限界に近い極端な締まり嵌めを採用している。
【先行技術文献】
【特許文献】
【０００５】
【特許文献１】米国特許第６，９５５，６３１号明細書
【特許文献２】意匠登録第１５２０７１７号公報
【特許文献３】実用新案登録第３０３４９８１号公報
【発明の概要】
【発明が解決しようとする課題】
【０００６】
しかしながら、ラダー本体部材の両端面に開口を有する係合穴部に楔状の留め具を差し込むようにした従来のトレーニング用ラダーにおいては、ラダー本体部材に設けた係合穴部に対して留め具を無理矢理押し込み、両者の間の摩擦によって係合状態を維持しているだけであるため、留め具による帯状部材の固定状態が不安定であるという問題がある。
さらに、留め具を係合穴部に押し込む際の適正な力加減が分かり難いため、ラダー本体部材又は留め具が割れてしまうことがあるという問題や、留め具が損傷した場合などに留め具を再度ラダー本体部材に設けた係合穴部に対して押し込んでも、ラダー本体部材の係合穴部が拡張してしまっているために留め具がその係合穴部から抜けてしまい易いという問題がある。
また、ラダー本体部材に設けた係合穴部に対して留め具を無理矢理押し込み、各部に歪みやストレスが加えられたままの状態となっており、トレーニング用ラダーの耐久性を低下させる原因になるという問題がある。
【０００７】
そこで、本発明が解決しようとする課題は、従来のトレーニング用ラダーにおける上記の問題を解決し、ラダー本体部材の両端面に帯状部材を簡単かつ確実に固定することができ、製造及び組み立てが容易であって、耐久性に優れ、部品の交換や全体形状の変更にも簡単に対応できるトレーニング用ラダーを提供することにある。
【課題を解決するための手段】
【０００８】
（１）本発明は、「細長い板状又は棒状のラダー本体部材と、当該ラダー本体部材の長手方向の両端面に固定される帯状部材と、前記ラダー本体部材に対して前記帯状部材を固定するための留め具と、から構成されるトレーニング用ラダーであって、
ａ）前記ラダー本体部材には、前記ラダー本体部材の長手方向の両端面に開口を有するとともに、前記ラダー本体部材の長手方向に沿って設けられた係合穴部と、前記係合穴部の内部から前記ラダー本体部材の底面に向けて透設された爪穴と、を設け、
ｂ）前記帯状部材には、前記係合穴部の開口と対応する複数個の透孔を設け、
ｃ）前記留め具には、前記係合穴部の内部に挿入できるように板状又は棒状に形成された杆部と、弾性変形又は一部塑性変形を利用して前記爪穴に嵌まり込む掛止爪と、前記杆部の一端部に形成された頭部と、を設け、
ｄ）前記ラダー本体部材の係合穴部の開口に前記帯状部材の透孔を対応させた状態で、前記留め具の杆部を前記ラダー本体部材の係合穴部に圧入することで、当該杆部又は掛止爪を弾性変形又は一部塑性変形させ、前記掛止爪を前記爪穴に嵌め込むとともに、前記留め具の頭部と前記ラダー本体部材の長手方向の端面との間に前記帯状部材を挟み込んでラダー本体部材と前記帯状部材とを互いに連結固定するようにしたトレーニング用ラダー」を最も主要な特徴とするものである。
【０００９】
（２）本発明は、前記杆部の一端部に形成された頭部が、前記杆部が前記ラダー本体部材の係合穴部に圧入され、当該頭部と前記ラダー本体部材の長手方向の端面との間に前記帯状部材を挟み込んだ状態で、ラダー本体部材の底面よりも下方に突出しないようになっているトレーニング用ラダーであってもよい。
（３）また、本発明は、前記帯状部材の透孔が、一方の辺縁部に偏った位置に設けられており、前記留め具の頭部と前記ラダー本体部材の長手方向の端面との間に前記帯状部材が挟み込まれた状態で、当該帯状部材がラダー本体部材の底面よりも下方に突出しないようになっているトレーニング用ラダーであってもよい。
（４）本発明は、前記留め具に形成された掛止爪が、前記爪穴との掛止面が先端部ほど当該爪穴側に接近して強く係合するように斜状に形成されているトレーニング用ラダーであってもよい。
【００１０】
（５）本発明は、前記杆部が、前記掛止爪の周囲を囲うようにして形成された枠状部を有しており、さらに、当該枠状部の内側の部分の厚みが薄く形成されることで、当該杆部を前記ラダー本体部材の係合穴部に圧入する際に前記掛止爪の付近における杆部の弾性変形を容易にしているものであるトレーニング用ラダーであってもよい。
（６）本発明は、前記ラダー本体部材に設けられた係合穴部が、その内部上面において、前記掛止爪の上面側を押さえる突起を備えているトレーニング用ラダーであってもよい。
（７）本発明は、前記掛止爪が、前記爪穴に嵌まり込んで当該爪穴と係合した状態で、前記ラダー本体部材の底面を超える位置まで突出することはないトレーニング用ラダーであってもよい。
（８）本発明は、前記ラダー本体部材の端面が、その開口の上側及び下側に小穴を有しており、前記留め具の頭部が、前記ラダー本体部材と接する面に、前記帯状部材を貫通して前記小穴に刺さる長さを有する針状部を備えているトレーニング用ラダーであってもよい。
【００１１】
（９）本発明は、細長い板状又は棒状のラダー本体部材と、当該ラダー本体部材の長手方向の両端面に固定される帯状部材と、前記ラダー本体部材に対して前記帯状部材を固定するための留め具と、から構成されるトレーニング用ラダーであって、
ａ）前記ラダー本体部材には、前記ラダー本体部材の長手方向の両端面に開口を有するとともに、前記ラダー本体部材の長手方向に沿って設けられた係合穴部と、前記係合穴部の内部から前記ラダー本体部材の水平方向に向けて透設された爪穴と、を設け、
ｂ）前記帯状部材には、前記係合穴部の開口と対応する複数個の透孔を設け、
ｃ）前記留め具には、前記係合穴部の内部に挿入できるように板状又は棒状に形成された杆部と、弾性変形又は一部塑性変形を利用して前記爪穴に嵌まり込む掛止爪と、前記杆部の一端部に形成された頭部と、を設け、
ｄ）前記ラダー本体部材の係合穴部の開口に前記帯状部材の透孔を対応させた状態で、前記留め具の杆部を前記ラダー本体部材の係合穴部に圧入することで、当該杆部又は掛止爪を弾性変形又は一部塑性変形させ、前記掛止爪を前記爪穴に嵌め込むとともに、前記留め具の頭部と前記ラダー本体部材の長手方向の端面との間に前記帯状部材を挟み込んでラダー本体部材と前記帯状部材とを互いに連結固定するようにしたトレーニング用ラダーであってもよい。
【発明の効果】
【００１２】
（１）上記のように構成した本発明のトレーニング用ラダーにおいては、留め具の杆部をラダー本体部材の係合穴部に圧入することで、ラダー本体部材の両端面に帯状部材を簡単かつ迅速に固定することができる。
さらに、留め具の杆部又は掛止爪を弾性変形又は一部塑性変形させ、掛止爪を爪穴に嵌め込んでいるため、留め具による帯状部材の強固な固定状態を安定して維持することができる。
また、掛止爪の爪穴への嵌め込みを外すことで、留め具による帯状部材の固定を解除することができ、再度当該留め具の掛止爪を爪穴に嵌め込んで帯状部材を確実に固定することを繰り返すこともできる。
従って、留め具が損傷した場合、又は、ラダー本体部材と帯状部材との固定位置（固定間隔）を変更したい場合においても留め具の取り外しと嵌め直しを容易に行うことができる。
【００１３】
（２）本発明のトレーニング用ラダーにおいて、前記杆部の頭部がラダー本体部材の底面よりも下方に突出しないようになっている場合には、頭部が堅い地面に当たって損傷することを防止でき、かつ、ラダー本体部材を平坦な地面又は床面に安定して置くことができる。
【００１４】
（３）本発明のトレーニング用ラダーにおいて、前記帯状部材の透孔が、一方の辺縁部に偏った位置に設けられており、当該帯状部材がラダー本体部材の底面よりも下方に突出しないようになっている場合には、ラダー本体部材を平坦な地面又は床面に安定して置いて使用することができる。
（４）さらに、本発明のトレーニング用ラダーにおいて、前記留め具の掛止爪が、前記爪穴との掛止面が先端部ほど当該爪穴側に接近して強く係合するように斜状に形成されている場合には、ラダー本体部材の両端面に帯状部材を強固に固定した状態を安定して維持することができる。
【００１５】
（５）本発明のトレーニング用ラダーにおいて、前記杆部が、前記掛止爪の周囲を囲う枠状部を有しており、さらに、当該枠状部の内側の部分の厚みが薄く形成されることで、当該杆部を前記ラダー本体部材の係合穴部に圧入する際に前記掛止爪の付近における杆部の弾性変形を容易にしているものである場合には、掛止爪に爪穴を係合させる組み立て作業を簡単かつ迅速に行うことができ、かつ、係合穴部に留め具が密着して嵌め込まれた状態を維持することができる。
（６）本発明のトレーニング用ラダーにおいて、前記ラダー本体部材の係合穴部が、その内部上面において、前記掛止爪の上面側を押さえる突起を備えている場合には、掛止爪と爪穴との係合状態を確実に維持することができる。
【００１６】
（７）本発明のトレーニング用ラダーにおいて、前記掛止爪が、前記爪穴に嵌まり込んで当該爪穴と係合した状態で、前記ラダー本体部材の底面を超える位置まで突出することがない場合には、掛止爪の下端部が地上の小石などに当たって当該掛止爪が爪穴から外れてしまうことを効果的に防止することができる。
（８）本発明のトレーニング用ラダーにおいて、前記ラダー本体部材の端面が、その開口の上側及び下側に小穴を有しており、前記留め具の頭部が、前記ラダー本体部材と接する面に、前記帯状部材を貫通して前記小穴に刺さる長さを有する針状部を備えている場合には、帯状部材の透孔から留め具の頭部が抜け出し、帯状部材がラダー本体部材から外れてしまうことを確実に防止することができる。
【００１７】
（９）本発明のトレーニング用ラダーにおいて、前記ラダー本体部材の係合穴部の内部から前記ラダー本体部材の水平方向に向けて爪穴を透設した場合においても、上記のとおり説明した本発明の効果と同様の効果を得ることができる。
【図面の簡単な説明】
【００１８】
【図１】図１は本発明を具体化した一実施形態のトレーニング用ラダーの要部の分解斜視図及び全体の平面図である。
【図２】図２は本発明を具体化した一実施形態のトレーニング用ラダーのラダー本体部材を示し、（Ａ）はラダー本体部材の端面を示す正面図、（Ｂ）はラダー本体部材の底面図、（Ｃ）はラダー本体部材の端部を示す底面図、（Ｄ）はラダー本体部材の長手方向に沿った切断端面を示す断面図である。
【図３】図３は本発明を具体化した一実施形態のトレーニング用ラダーの留め具を示し、（Ａ）は留め具の平面図、（Ｂ）は留め具の底面図、（Ｃ）は留め具の長手方向に沿った切断端面を示す断面図、（Ｄ）は留め具の背面図である。
【図４】図４は本発明を具体化した一実施形態のトレーニング用ラダーのラダー本体部材に留め具を嵌め込む様子を示す図であって、（Ａ）は留め具を嵌め込む前の側面図、（Ｂ）は留め具を嵌め込む前の断面図、（Ｃ）は留め具を嵌め込む前の切断端面のみを示す断面図、（Ｄ）は留め具を嵌め込んだ後の切断端面のみを示す断面図、（Ｅ）は留め具を嵌め込んだ後の部分断面図、（Ｆ）は掛止爪と爪穴の係合状態を示す拡大断面図である。
【図５】図５は本発明を具体化した他の実施形態のトレーニング用ラダーを示す図であって、（Ａ）はラダー本体部材と留め具の底面図、（Ｂ）はラダー本体部材の正面図である。
【図６】図６は本発明を具体化した他の実施形態のラダー本体部材に留め具を嵌め込んだ後の状態を示す図であって、（Ａ）は水平方向の断面図、（Ｂ）は斜視図である。
【発明を実施するための形態】
【００１９】
本発明は、「細長い板状又は棒状のラダー本体部材と、当該ラダー本体部材の長手方向の両端面に固定される帯状部材と、前記ラダー本体部材に対して前記帯状部材を固定するための留め具と、から構成されるトレーニング用ラダーであって、
ａ）前記ラダー本体部材には、前記ラダー本体部材の長手方向の両端面に開口を有するとともに、前記ラダー本体部材の長手方向に沿って設けられた係合穴部と、前記係合穴部の内部から前記ラダー本体部材の底面又は水平方向に向けて透設された爪穴と、を設け、
ｂ）前記帯状部材には、前記係合穴部の開口と対応する複数個の透孔を設け、
ｃ）前記留め具には、前記係合穴部の内部に挿入できるように板状又は棒状に形成された杆部と、弾性変形又は一部塑性変形を利用して前記爪穴に嵌まり込む掛止爪と、前記杆部の一端部に形成された頭部と、を設け、
ｄ）前記ラダー本体部材の係合穴部の開口に前記帯状部材の透孔を対応させた状態で、前記留め具の杆部を前記ラダー本体部材の係合穴部に圧入することで、当該杆部又は掛止爪を弾性変形又は一部塑性変形させ、前記掛止爪を前記爪穴に嵌め込むとともに、前記留め具の頭部と前記ラダー本体部材の長手方向の端面との間に前記帯状部材を挟み込んでラダー本体部材と前記帯状部材とを互いに連結固定するようにしたトレーニング用ラダー」であって、以下において説明する実施の形態などにより好適に具体化することができる。
【００２０】
以下、本発明のトレーニング用ラダーを具体化した一実施形態について説明する。
図１〜図４は本発明の一実施形態のトレーニング用ラダー１を示し、このトレーニング用ラダー１は、ポリエチレン樹脂製の細長い棒状のラダー本体部材１０と、当該ラダー本体部材１０の長手方向の両端面１０ａに固定される帯状部材２０と、前記ラダー本体部材１０に対して前記帯状部材２０を固定するための留め具３０と、から構成されている。
【００２１】
この実施形態のトレーニング用ラダー１において、前記ラダー本体部材１０には、その長手方向の両端面１０ａに開口１１を有するとともに、前記ラダー本体部材１０の長手方向に沿って設けられた係合穴部１２と、前記係合穴部１２の内部から前記ラダー本体部材１０の底面に向けて透設された爪穴１３と、が設けられている。
なお、この実施形態のトレーニング用ラダー１において、前記ラダー本体部材１０は、長さ約４０ｃｍ、幅約２８ｍｍ、高さ約１２ｍｍとなっている。
【００２２】
さらに、前記係合穴部１２の上面中央部には、当該係合穴部１２の長手方向に沿って配置された突起１４が下方に向けて形成されている。
また、前記開口１１のコーナー部と対応する上下の位置において、前記ラダー本体部材１０の端面１０ａには、当該ラダー本体部材１０の長手方向に沿って凹設された小穴１５が形成されている。
【００２３】
この実施形態のトレーニング用ラダー１において、前記帯状部材２０は、好適には合成樹脂製糸を編み込んだ柔軟な布製ベルトから構成されており、当該帯状部材２０には、前記係合穴部１２の開口１１と対応する形状を有する透孔２１が所定間隔にて複数個（図１に示す実施形態においては、ラダー本体部材１０の本数と同じ９個）設けられている。
なお、複数本のラダー本体部材１０を配置する間隔を変更できるようにするために、前記帯状部材２０にラダー本体部材１０の本数より多い数の透孔２１を形成して実施しても良い。
また、前記透孔２１の形成位置は、前記帯状部材２０一方の辺縁部２０ａ（下側となる辺縁部）に偏った位置に設けられている。
【００２４】
この実施形態のトレーニング用ラダー１において、前記帯状部材２０は、長さ約４ｍ、幅約２ｃｍ、厚さ約１ｍｍであり、前記透孔２１の間隔が約３７ｃｍとなっている。
さらに、この実施形態のトレーニング用ラダー１において、前記帯状部材２０の両端部には、バックル２２が固定されており、２個のトレーニング用ラダー１を当該バックル２２にて連結して使用することができるようになっている。
【００２５】
この実施形態のトレーニング用ラダー１において、前記留め具３０は、ＰＯＭ（ポリアセタール）などの硬質樹脂製であって、当該留め具３０には、前記係合穴部１２の内部に挿入できるように板状に形成された杆部３１と、弾性変形又は一部塑性変形を利用して前記爪穴１３に嵌まり込む掛止爪３２と、前記杆部３１の一端部に形成された円盤状の頭部３３と、が設けられている。
この実施形態のトレーニング用ラダー１において、前記杆部３１は、前記掛止爪３２の周囲に「コ」字状に形成された切溝３４によって、掛止爪３２の周囲を囲うようにして形成された枠状部３１ａを有しており、さらに、当該枠状部３１ａの内側の部分の杆部３１の厚みが薄く形成されることで、当該杆部３１を前記ラダー本体部材１０の係合穴部１２に圧入する際に前記掛止爪３２の付近における杆部３１（即ち、バネ部３１ｂ）の弾性変形を容易にしている。
【００２６】
この実施形態のトレーニング用ラダー１において、前記留め具３０に形成された掛止爪３２は、前記爪穴１３との掛止面３２ａが先端部ほど当該爪穴１３側に接近して強く係合するように斜状に形成されている。
即ち、図４（Ｆ）に示すように、爪穴１３と掛止爪３２の掛止面３２ａには、上部側ほど距離が増すように、一例として約１度程度の角度θが設けられている。
ここで、爪穴１３と掛止爪３２との係合状態をより高めるには、爪穴１３の掛止面にも上部側ほど爪穴１３が狭くなるような傾斜を形成するとよい。
なお、前記掛止面３２ａの高さは、１．５ｍｍ以上であることが望ましく、通常、３ｍｍ程度有れば良い。
【００２７】
さらに、前記ラダー本体部材１０に設けられた前記係合穴部１２は、その内部上面において、前記掛止爪３２の上面側を押さえる突起１４を備えているため、留め具３０が係合穴部１２から抜け出すことを確実に防止することができる。
ここで、上記の実施形態における前記突起１４の形状は、係合穴部１２の開口１１側における突出量が徐々に小さくなる斜状に形成されており、かつ、その大きさは、図４（Ｄ）〜（Ｆ）に示すように、掛止爪３２が上下に強く圧縮されてから爪穴１３に嵌まり込むようになっている。
即ち、本実施形態の場合には、主に掛止爪３２（及び／又は係合穴部１２）が弾性変形又は一部塑性変形することで、掛止爪３２が爪穴１３に嵌まり込むことになる。
【００２８】
一方、この突起１４の下方への突出量を減少させれば、掛止爪３２をほとんど圧縮することなく、スムーズに爪穴１３に嵌まり込むようにした実施形態とすることもできる。その場合、掛止爪３２を爪穴１３から外して留め具３０を簡単に差し替えることができるトレーニング用ラダー１として具体化することができる。
この場合においては、掛止爪３２自体はほとんど弾性変形又は一部塑性変形することが無く、前記掛止爪３２の付近における杆部３１（即ち、バネ部３１ｂ）を主に弾性変形させることを利用して、掛止爪３２が爪穴１３に嵌まり込むことになる。
【００２９】
また、前記掛止爪３２は、図４（Ｄ）〜（Ｆ）に示すように、前記爪穴１３に嵌まり込んで当該爪穴１３と係合した状態で、前記ラダー本体部材１０の底面を超える位置まで突出することがないようになっている。
従って、掛止爪３２の下端部が地上の小石などに当たって当該掛止爪３２が爪穴１３から外れてしまうことを効果的に防止することができる。
また、前記留め具３０の頭部３３の下端部は、前記ラダー本体部材１０の底面より下方に突出しないようになっており、頭部３３が堅い地面に当たって損傷しないようになっている。前記ラダー本体部材１０の端部における上記の構成により、トレーニング用ラダー１の設置状態を安定させることもできる。
【００３０】
さらに、前記帯状部材２０の透孔２１の形成位置は、一方の辺縁部２０ａに偏った位置に設けられているため、前記留め具３０の頭部３３と前記ラダー本体部材１０の長手方向の端面１０ａとの間に前記帯状部材２０が挟み込まれた状態で、当該帯状部材２０がラダー本体部材１０の底面よりも下方に突出しないようになっている（図４（Ｅ）参照）。
従って、トレーニング用ラダー１を平坦な地面又は床面に置いた場合に、ラダー本体部材１０が浮き上がることがなく、トレーニング用ラダー１を安定させて使用することができる。
【００３１】
次に、本発明のトレーニング用ラダー１を製造する方法について説明する。
本発明のトレーニング用ラダー１を構成するラダー本体部材１０及び留め具３０は、合成樹脂の射出成形方法によって簡便に製造可能である。
本実施形態において、ラダー本体部材１０は、底面側に空洞を設け、その空洞内に格子状のリブ１６を配置することで、比較的薄く細長い板材を弧状に曲げて全体を棒状としており、軽量でありながら、強度に優れたものとしている。
【００３２】
そして、前記ラダー本体部材１０の係合穴部１２の開口１１に前記帯状部材２０の透孔２１を対応させた状態で、前記留め具３０の杆部３１を前記ラダー本体部材１０の係合穴部１２に圧入することで、当該杆部３１又は掛止爪３２を弾性変形又は一部塑性変形させ、前記掛止爪３２を前記爪穴１３に嵌め込むとともに、前記留め具３０の頭部３３と前記ラダー本体部材１０の長手方向の端面１０ａとの間に前記帯状部材２０を挟み込んでラダー本体部材１０と前記帯状部材２０とを互いに連結固定することで、迅速、簡単かつ確実にトレーニング用ラダー１を組み立てることができる。
【００３３】
さらに、この作業に際しては、前記掛止爪３２が前記爪穴１３に嵌め込まれたことを簡単に認識することができるため、留め具３０に過剰な力を加えてしまうことを防止でき、留め具３０又はラダー本体部材１０を損傷してしまうことを防止することができる。
また、前記掛止爪３２が前記爪穴１３に嵌め込まれた状態では、各部に歪みやストレスが加えられたままの状態とはなっていないため、トレーニング用ラダー１の耐久性を高めることができる。
【００３４】
なお、前記留め具３０の頭部３３には、前記ラダー本体部材１０と接する面に、杆部３１側に向けて突出する４本の針状部３５が形成されている。そして、この針状部３５は、前記帯状部材２０を貫通して前記小穴１５に刺さる長さを有するものであるため、帯状部材２０の透孔２１から留め具３０の頭部３３が抜け出し、帯状部材２０がラダー本体部材１０から外れてしまうことを確実に防止することができる。
【００３５】
本発明のトレーニング用ラダーは、上記実施形態に限定されるものではなく、掛止爪３２又は爪穴１３の形成位置を適宜変更して実施してもよい。
例えば、図５及び図６に示す本発明の他の実施形態のトレーニング用ラダーは、細長い板状又は棒状のラダー本体部材４０と、当該ラダー本体部材４０の長手方向の両端面４０ａに固定される帯状部材４１と、前記ラダー本体部材４０に対して前記帯状部材４１を固定するための留め具４２と、から構成されている。
【００３６】
そして、前記ラダー本体部材４０には、前記ラダー本体部材４０の長手方向の両端面４０ａに開口４３を有するとともに、前記ラダー本体部材４０の長手方向に沿って設けられた係合穴部４４と、前記係合穴部４４の内部から前記ラダー本体部材４０の水平方向に向けて透設された爪穴４５と、が設けられている。
この爪穴４５は、ラダー本体部材４０の底面側からアクセスできるようにラダー本体部材４０の底面側に向けても開口するように形成するとよい。
【００３７】
また、前記帯状部材４１には、前記実施形態と同様に、前記係合穴部４４の開口４３と対応する複数個の透孔４６が設けられている。
さらに、前記留め具４２には、前記係合穴部４４の内部に挿入できるように二股状の板状又は棒状に形成された杆部４７と、当該杆部４７の弾性変形を利用して前記爪穴４５に嵌まり込む掛止爪４８と、前記杆部４７の一端部に形成された頭部４９と、が設けられている。
【００３８】
そして、前記ラダー本体部材４０の係合穴部４４の開口４３に前記帯状部材４１の透孔４６を対応させた状態で、前記留め具４２の杆部４７を前記ラダー本体部材４０の係合穴部４４に圧入することで、当該杆部４７を弾性変形させ、前記掛止爪４８を前記爪穴４５に嵌め込むとともに、前記留め具４２の頭部４９と前記ラダー本体部材４０の長手方向の端面４０ａとの間に前記帯状部材４１を挟み込んでラダー本体部材４０と前記帯状部材４１とを互いに連結固定するようにしている。
【００３９】
上記実施形態のトレーニング用ラダーにおいても、前記実施形態のトレーニング用ラダー１と同様に、留め具４２の杆部４７をラダー本体部材４０の係合穴部４４に圧入することで、ラダー本体部材４０の両端面に帯状部材４１を簡単かつ迅速に固定することができる。
さらに、留め具４２の杆部４７を弾性変形させ、掛止爪４８を爪穴４５に嵌め込んでいるため、留め具４２による帯状部材４１の強固な固定状態を安定して維持することができる。
また、ラダー本体部材４０の底面側からアクセスして掛止爪４８を爪穴４５から外すことで、留め具４２による帯状部材４１の固定を解除することができ、再度当該留め具４２の掛止爪４８を爪穴４５に嵌め込んで帯状部材４１を確実に固定することを繰り返すこともできるという効果を得ることができる。
【００４０】
なお、前記実施形態のトレーニング用ラダー１と同様に、ラダー本体部材４０の端面４０ａに小穴１５を設け、留め具４２の頭部４９に針状部３５を設けることで、留め具４２による帯状部材４１の固定状態を確実なものとするとよい。
【００４１】
本発明のトレーニング用ラダーは、上記実施形態に限定されるものではなく、本発明の趣旨を逸脱しない範囲で、ラダー本体部材１０，４０、帯状部材２０，４１及び留め具３０，４２の各部の形状や材質などを適宜変更して実施してもよい。
例えば、ラダー本体部材１０，４０の材質を他の合成樹脂、例えばＰＯＭ（ポリアセタール）製などに変更して実施したり、ラダー本体部材１０，４０の底面側に空洞を設けていない棒状又は板状のラダー本体部材を用いて実施したり、留め具３０，４２の板状の杆部３１，４７に代えて、棒状（角柱状又は円柱状など）に形成された杆部を用いて実施してもよい。
【産業上の利用可能性】
【００４２】
本発明は、構成部品の製造が容易であって、それらを簡単かつ確実に組み立てることができ、強度及び耐久性に優れたトレーニング用ラダーとして、産業上好適に利用可能である。
【符号の説明】
【００４３】
１    トレーニング用ラダー
１０    ラダー本体部材
１０ａ  端面
１１    開口
１２    係合穴部
１３    爪穴
１４    突起
１５    小穴
１６    リブ
２０    帯状部材
２０ａ  辺縁部
２１    透孔
２２    バックル
３０    留め具
３１    杆部
３１ａ  枠状部
３１ｂ  バネ部
３２    掛止爪
３２ａ  掛止面
３３    頭部
３４    切溝
３５    針状部
４０    ラダー本体部材（他の実施形態のトレーニング用ラダー）
４０ａ  端面（他の実施形態のトレーニング用ラダー）
４１    帯状部材（他の実施形態のトレーニング用ラダー）
４２    留め具（他の実施形態のトレーニング用ラダー）
４３    開口（他の実施形態のトレーニング用ラダー）
４４    係合穴部（他の実施形態のトレーニング用ラダー）
４５    爪穴（他の実施形態のトレーニング用ラダー）
４６    透孔（他の実施形態のトレーニング用ラダー）
４７    杆部（他の実施形態のトレーニング用ラダー）
４８    掛止爪（他の実施形態のトレーニング用ラダー）
４９    頭部（他の実施形態のトレーニング用ラダー）
【図１】
2018196543.tif 000003
【図２】
2018196543.tif 000004
【図３】
2018196543.tif 000005
【図４】
2018196543.tif 000006
【図５】
2018196543.tif 000007
【図６】
2018196543.tif 000008